(57)【特許請求の範囲】
【請求項１】
エアコン用冷媒管の直状部を収容して保護する複数の直状カバーに繋がるとともに、前記冷媒管の曲がり部を収容して保護する付属カバーであって、
前記各直状カバーの端部に被り、それら直状カバーが互いに直角となる基準姿勢で接続される接続部を備え、
前記接続部は、前記直状カバーが前記基準姿勢から鈍角を形成する方向に角度を振った傾斜姿勢で接続可能となるよう、前記接続部の、前記付属カバーにおける曲がる内周側の側壁と、前記基準姿勢にある前記直状カバーとの間に、逃がし空間が、前記接続部の奥側ほど広がるように形成されていることを特徴とする、エアコン用冷媒管の付属カバー。
【請求項２】
請求項１に記載の付属カバーにおいて、
前記逃がし空間は、前記側壁が、前記基準姿勢にある前記直状カバーに対して傾斜することで、形成されていることを特徴とする、エアコン用冷媒管の付属カバー。
【請求項３】
請求項１または２に記載の付属カバーにおいて、
基台と、その基台に取り付けられて前記冷媒管を覆う蓋体とからなり、
前記接続部は、前記蓋体に設けられており、
前記基台には、前記傾斜姿勢をとる前記直状カバーのその傾斜角を所定内に規制する、規制片が設けられていることを特徴とする、エアコン用冷媒管の付属カバー。
【請求項４】
請求項１ないし３のいずれか１項に記載の付属カバーにおいて、
１つの平面からなる取付面に取り付けられる、エルボーまたはチーズからなることを特徴とする、エアコン用冷媒管の付属カバー。
【発明の詳細な説明】
【０００１】
【発明の属する技術分野】
この発明は、エアコン用冷媒管を収容して保護する直状カバーに繋がる、エアコン用冷媒管の付属カバーに関するものである。
【０００２】
【従来の技術】
従来、例えば、建物の外壁面に沿って配設されるエアコン用冷媒管の付属カバーとして、図９に示されるものがあった。かかる付属カバー２１は、直状カバー２２に繋がり、その直状カバー２２とともに、冷媒管２３、２３を収容して保護するものであった。ここで、付属カバー２１は、外壁面に取り付けられる基台２４と、冷媒管２３、２３を覆う蓋体２５とから構成されていた。そして、蓋体２５は、その蓋体２５に設けられた係合爪２５ａが、基台２４に設けられた係合凹部２４ａと係合することで、基台２４に組み付けられていた。また、この蓋体２５は、断面略コの字状に形成されて、直状カバー２２側に開口した端部部分が、直状カバー２２の端部２２ａに被る接続部２５ｂとなっていた。
【０００３】
【発明が解決しようとする課題】
ところで、前記付属カバー２１および直状カバー２２に、冷媒管２３、２３とともにドレーン管（図示せず）を収容する場合とか、冷媒管２３、２３の配管経路に障害物がある場合等においては、例えば、ドレーンの排出を容易にするために、あるいは障害物を避けるために、直状カバー２２を、付属カバー２１の接続部２５ｂに、その接続部２５ｂの開口方向に対して角度を振って（すなわち、基準姿勢から角度を振った傾斜姿勢で）接続する必要があった。しかし、このように直状カバー２２を傾斜姿勢で接続しようとすると、蓋体２５の側壁２５ｃが、直状カバー２２に押されて外方に変形し、蓋体２５の係合爪２５ａと基台２４の係合凹部２４ａとの係合が外れてしまった。したがって、蓋体２５を基台２４に組み付けることができず、結果として、直状カバー２２を、接続部２５ｂに、その接続部２５ｂの開口方向に対して角度を振って接続することができなかった。
【０００４】
そこで、係合爪２５ａと係合凹部２４ａとの係合が外れないように、蓋体２５の剛性を高めることもできたが、その場合には、側壁２５ｃの変形が妨げられるため、始めから、直状カバー２２を、接続部２５ｂに、その接続部２５ｂの開口方向に対して角度を振って接続することができなかった。
【０００５】
このような状況から、直状カバー２２を、付属カバー２１の接続部２５ｂに、基準姿勢で接続することで、外観上の見栄えを良くすることができ、場合によっては、傾斜姿勢で接続することで、ドレーンの排出等に対応することができる、付属カバー２１の開発が望まれていた。
【０００６】
この発明は、上記した従来の欠点を解決するためになされたものであり、その目的とするところは、直状カバーを、付属カバーの接続部に、基準姿勢およびその基準姿勢から角度を振った傾斜姿勢で接続することができる、エアコン用冷媒管の付属カバーを提供することにある。
【０００７】
【課題を解決するための手段】
この発明に係るエアコン用冷媒管の付属カバーは、前記目的を達成するために、次の構成からなる。すなわち、
【０００８】
【０００９】
請求項１に記載の発明に係るエアコン用冷媒管の付属カバーは、エアコン用冷媒管の直状部を収容して保護する複数の直状カバーに繋がるとともに、前記冷媒管の曲がり部を収容して保護する付属カバーであって、前記各直状カバーの端部に被り、それら直状カバーが互いに直角となる基準姿勢で接続される接続部を備える。ここで、この接続部は、前記直状カバーが前記基準姿勢から鈍角を形成する方向に角度を振った傾斜姿勢で接続可能となるよう、前記接続部の、前記付属カバーにおける曲がる内周側の側壁と、前記基準姿勢にある前記直状カバーとの間に、逃がし空間が、前記接続部の奥側ほど広がるように形成されている。
【００１０】
このように、この付属カバーは、直状カバーに繋がり、これら付属カバーと直状カバーとが、それぞれ冷媒管の曲がり部と直状部とを収容して保護する。この付属カバーは、各直状カバーの端部に被り、それら直状カバーが互いに直角となる基準姿勢で接続される接続部を備えており、この接続部を介して、両カバーは繋がることとなる。そして、接続部は、接続部の、付属カバーにおける曲がる内周側の側壁と、基準姿勢にある直状カバーとの間に、逃がし空間が、接続部の奥側ほど広がるように形成されており、この逃がし空間によって、直状カバーは、基準姿勢から鈍角を形成する方向に角度を振った傾斜姿勢で接続可能となっている。
【００１１】
また、請求項２に記載の発明に係るエアコン用冷媒管の付属カバーのように、請求項１に記載の付属カバーにおいて、前記逃がし空間は、前記側壁が、前記基準姿勢にある前記直状カバーに対して傾斜することで、形成されていてもよい。このように、接続部の、内周側の側壁が基準姿勢にある直状カバーに対して傾斜しており、この傾斜によって形成された逃がし空間により、直状カバーは、基準姿勢から角度を振った傾斜姿勢で接続可能となっている。
【００１２】
また、請求項３に記載の発明に係るエアコン用冷媒管の付属カバーのように、請求項１または２に記載の付属カバーにおいて、基台と、その基台に取り付けられて前記冷媒管を覆う蓋体とからなり、前記接続部は、前記蓋体に設けられており、前記基台には、前記傾斜姿勢をとる前記直状カバーのその傾斜角を所定内に規制する、規制片が設けられるのが望ましい。これにより、基台と直状カバーとを合わせる際には、基台に設けられた規制片によって、直状カバーの傾斜角が所定内に規制される。したがって、その後に、基台に蓋体を取り付ける際には、蓋体の接続部における内周側の側壁が直状カバーと干渉することがない。
【００１３】
【００１４】
また、請求項４に記載の発明に係るエアコン用冷媒管の付属カバーのように、請求項１ないし３のいずれか１項に記載の付属カバーにおいて、１つの平面からなる取付面に取り付けられる、エルボーまたはチーズからなっていてもよい。
【００１５】
【発明の実施の形態】
以下、この発明に係るエアコン用冷媒管の付属カバーの実施の形態を図面に基づいて説明する。
【００１６】
図１ないし図８は、本発明に係るエアコン用冷媒管の付属カバーの一実施の形態を示す。図中符号１は、取付面としての、建物の外壁面である。２は、エアコン用冷媒管であり、エアコンの室内機（図示せず）と室外機（図示せず）とを結ぶように、外壁面１に沿って配設されている。３は、直状カバーであり、冷媒管２の直状部２ａを収容して保護する、直状の保護カバーである。４は、付属カバーであり、前記直状カバー３（例えば、複数の直状カバー３、３）に繋がるとともに、冷媒管２（例えば、１つの平面からなる外壁面１上で直角状または略直角状に曲げられた冷媒管２の曲がり部２ｂ）を収容して保護する、付属の保護カバーである。
【００１７】
ここで、直状カバー３は、図１および図２に示すように、建物の外壁面１にビスＶ１等により固定されるベース部材３ａと、そのベース部材３ａに組み付けられて冷媒管２、２の直状部２ａ、２ａを覆うカバー部材３ｂとから構成されている。そして、これらベース部材３ａおよびカバー部材３ｂは、それぞれ、例えば合成樹脂材料を押出成形して得られる。
【００１８】
また、付属カバー４は、１つの平面からなる取付面としての外壁面１に取り付けられるエルボーからなっている。すなわち、付属カバー４は、前記外壁面１上で曲がるとともに、各直状カバー３、３の端部が嵌まるようにしてそれら直状カバー３、３が、例えば互いに直角となる基準姿勢（図３および図６において一点鎖線で示す）で接続される接続部４ａ、４ａを備える。詳細には、付属カバー４は、建物の外壁面１にビスＶ２等により固定される基台５と、その基台５に取り付けられて冷媒管２、２の曲がり部２ｂ、２ｂを覆う蓋体６とから構成されている。
【００１９】
基台５は、建物の外壁面１に当接するとともに例えば直角に曲がって形成される基台底壁５ａと、その基台底壁５ａの曲がる内側および外側に立設する基台側壁５ｂ、５ｂとからなる。そして、基台５は、曲がって形成される各端部部分が、前記接続部４ａとしての第１接続部５ｃとなる。この第１接続部５ｃは、直状カバー３の端部に差し込まれるように、基台底壁５ａが段状に上がって形成された第１底壁５ｄと、基台側壁５ｂ、５ｂ間が幅狭に形成された第１側壁５ｅ、５ｆとからなる。そして、第１接続部５ｃは、直状カバー３が前記基準姿勢から鈍角を形成する方向に角度を振った傾斜姿勢（図３において二点鎖線で示す）で接続可能となるよう、第１側壁５ｅ、５ｆの一方の側壁５ｅ（すなわち、第１接続部５ｃの、基台５における曲がる外周側の側壁となる第１側壁５ｅ）と前記基準姿勢にある直状カバー３との間に逃がし空間としての第１逃がし空間５ｇが形成されている。そして、この第１逃がし空間５ｇは、第１側壁５ｅが、前記基準姿勢にある直状カバー３に対して傾斜することで、形成されている。さらに、この一方の側壁５ｅは、前記傾斜姿勢をとる直状カバー３のその傾斜角を所定内に規制する規制片Ｘともなっている。すなわち、直状カバー３を基準姿勢から傾斜させていくと、直状カバー３の内壁が規制片Ｘに当たることとなり、こうして、直状カバー３は、その傾斜角が所定内に規制される。また、基台５には、基台底壁５ａから立設するようにして、蓋体６の後述する係合部６ｈと係合する被係合部５ｈが設けられている。
【００２０】
蓋体６は、基台５と同様に例えば直角に曲がって形成されて基台５に対向する蓋体頂壁６ａおよび、その蓋体頂壁６ａの曲がる外側および内側から基台５側に延設された蓋体側壁６ｂ、６ｂとからなる。そして、蓋体６は、曲がって形成される各端部部分が、直状カバー３の端部に被る、前記接続部４ａとしての第２接続部６ｃとなり、この第２接続部６ｃは、蓋体頂壁６ａの端部部分からなる第２頂壁６ｄと、蓋体側壁６ｂ、６ｂの端部部分からなる第２側壁６ｅ、６ｆとからなっている。そして、第２接続部６ｃは、第１接続部５ｃと同様に、直状カバー３が前記基準姿勢から鈍角を形成する方向に角度を振った傾斜姿勢（図６において二点鎖線で示す）で接続可能となるよう、第２側壁６ｅ、６ｆの一方の側壁６ｅ（すなわち、第２接続部６ｃの、蓋体６における曲がる内周側の側壁となる第２側壁６ｅ）と前記基準姿勢にある直状カバー３との間に逃がし空間としての第２逃がし空間６ｇが形成されている。そして、この第２逃がし空間６ｇは、第２側壁６ｅが、前記基準姿勢にある直状カバー３に対して傾斜することで、形成されている。また、蓋体６には、各蓋体側壁６ｂに、外方に向かって突出する係合部６ｈが設けられている。
【００２１】
このようにして、接続部４ａは、基台５の第１接続部５ｃと、蓋体６の第２接続部６ｃとからなり、基台５においては、曲がる外周側に、逃がし空間５ｇが設けられ、蓋体６においては、曲がる内周側に逃がし空間６ｇが設けられている。また、第１接続部５ｃにおける第１側壁５ｅ、５ｆの一方の側壁５ｅが、前述のように、直状カバー３の傾斜角を所定内に規制する規制片Ｘとなっている。
【００２２】
次に、以上の構成からなる付属カバー４の作用効果について説明する。この付属カバー４は、直状カバー３、３に繋がり、これら付属カバー４と直状カバー３、３とが、それぞれ冷媒管２、２の曲がり部２ｂ、２ｂと直状部２ａ、２ａとを収容して保護する。この付属カバー４は、直状カバー３の端部が嵌まるようにしてその直状カバー３が基準姿勢で接続される接続部４ａ、すなわち第１接続部５ｃおよび第２接続部６ｃを備えており、この第１および第２接続部５ｃ、６ｃを介して、両カバー３、４は繋がることとなる。そして、第１および第２接続部５ｃ、６ｃは、一方の側壁５ｅ、６ｅ（すなわち、基台５における曲がる外周側の側壁５ｅ、蓋体６における曲がる内周側の側壁６ｅ）が、基準姿勢にある直状カバー３に対して傾斜することで、側壁５ｅ、６ｅと基準姿勢にある直状カバー３との間に第１および第２逃がし空間５ｇ、６ｇが形成されている。したがって、この逃がし空間５ｇ、６ｇによって、直状カバー３を、基準姿勢から一方の側に（図示実施の形態においては、鈍角を形成する方向に）角度を振った傾斜姿勢で接続することができる。また、こうして、直状カバー３を、付属カバー４の接続部４ａに、基準姿勢で接続することで、外観上の見栄えを良くすることができ、そして、直状カバー３を付属カバー４に傾斜姿勢で接続することで、例えば、この直状カバー３および付属カバー４に、冷媒管２、２とともにドレーン管（図示せず）を収容した場合において、ドレーンの排出を容易にすることができる。
【００２３】
しかも、基台５と直状カバー３とを合わせる際には、基台５に設けられた規制片Ｘによって、直状カバー３の傾斜角が所定内に規制される。したがって、その後に、基台５に蓋体６を取り付ける際には、第２接続部６ｃにおける一方の側壁６ｅや他方の側壁６ｆが直状カバー３と干渉することがない。このように、基台５に規制片Ｘを設けることで、基台５に対して直状カバーの傾斜角が所定内に規制され、蓋体６を基台５に、直状カバー３と干渉することなく取り付けることができる。
【００２４】
なお、本発明は、上述した実施の形態に限定されるわけではなく、その他種々の変更が可能である。例えば、冷媒管が配設される取付面は、建物の外壁面１でなくとも、内壁面、天井面、床面等、その他の取付面であってもよい。また、この取付面は、一つの平面からならなくとも、二つの平面が直角等の角度を持って折れ曲がって形成されるものであってもよく、この場合、付属カバー４が、二つの平面が交差する出隅または入隅からなるコーナー部に配備されてもよい。
【００２５】
また、付属カバー４は、基準姿勢において、直状カバー３、３が互いに直角となって接続されなくとも、その他の角度で接続されてもよく、さらには、それら直状カバー３、３が一直線上に位置するように接続されてもよい。
【００２６】
また、付属カバー４は、二本の直状カバー３、３に繋がることで、それら二本の直状カバー３、３を連結するものでなくとも、例えば、１つの平面からなる取付面としての外壁面１に取り付けられる、Ｔ字状のチーズ等のように、三本の直状カバー３、３を連結するものであってもよく、また、それ以上の本数の直状カバー３、３を連結するものであってもよい。また、付属カバー４は、複数本の直状カバー３、３を連結するものでなくとも、例えば、冷媒管２が建物の壁を貫通する部分に、この付属カバー４が配置されたり、また、配設される冷媒管２の端部部分に、この付属カバー４が配置されたりして、この付属カバー４が、一本のみの直状カバー３に繋がってもよい。
【００２７】
また、付属カバー４は、第１および第２接続部５ｃ、６ｃにおける一方の側壁５ｅ、６ｅのみが、基準姿勢にある直状カバー３に対して傾斜しているが、もう一方の側壁５ｆ、６ｆもまた、基準姿勢にある直状カバー３に対して傾斜させることで、直状カバー３との間に逃がし空間を形成し、直状カバー３が基準姿勢からいずれの側にも角度を振ることができるようにしてもよい。
【００２８】
また、接続部４ａは、基台５に設けられた第１接続部５ｃと蓋体６に設けられた第２接続部６ｃとからなっているが、例えば、第１接続部５ｃをなくすことで、第２接続部６ｃのみからなっていてもよい。
【００２９】
また、付属カバー４は、基台５と蓋体６とからなっているが、蓋体６のみからなっていてもよい。そして、この場合には、蓋体６は、直接、建物の外壁面１に固定されてもよく、また、外壁面１に固定される直状カバー３、３によって支持されてもよい。
【００３０】
【発明の効果】
以上、詳述したところから明らかなように、この発明に係るエアコン用冷媒管の付属カバーによれば、次の効果がある。
【００３１】
【００３２】
請求項１および４に記載されたエアコン用冷媒管の付属カバーによれば、接続部の、内周側の側壁と基準姿勢にある直状カバーとの間に形成された逃がし空間によって、直状カバーを、接続部に、基準姿勢だけでなくその基準姿勢から鈍角を形成する方向に角度を振った傾斜姿勢で接続することができる。
【００３３】
また、請求項２に記載されたエアコン用冷媒管の付属カバーによれば、接続部の、内周側の側壁が傾斜することで形成された逃がし空間によって、直状カバーを、接続部に、基準姿勢だけでなく傾斜姿勢で接続することができる。
【００３４】
また、請求項３に記載されたエアコン用冷媒管の付属カバーによれば、加えて、基台に対して直状カバーの傾斜角が所定内に規制されることで、蓋体を基台に、直状カバーと干渉することなく取り付けることができる。
【００３５】
【図面の簡単な説明】
【図１】  この発明に係るエアコン用冷媒管の付属カバーの一実施の形態の、平断面図である。
【図２】  同じく、図１におけるＡ−Ａ線による拡大断面図である。
【図３】  同じく、基台の平面図である。
【図４】  同じく、基台の正面図である。
【図５】  同じく、図３におけるＢ−Ｂ線による拡大断面図である。
【図６】  同じく、蓋体の底面図である。
【図７】  同じく、蓋体の正面図である。
【図８】  同じく、図６におけるＣ−Ｃ線による拡大断面図である。
【図９】  従来の、エアコン用冷媒管の付属カバーおよび直状カバーを示す平断面図である。
【符号の説明】
２  冷媒管                        ２ａ  直状部
２ｂ  曲がり部                    ３  直状カバー
４  付属カバー                    ４ａ  接続部
５  基台                          ６  蓋体
６ｃ  第２接続部（接続部）
６ｅ  第２側壁（内周側の側壁）
６ｇ  第２逃がし空間（逃がし空間）
Ｘ  規制片
【図１】
0003860985.tif 000002
【図２】
0003860985.tif 000003
【図３】
0003860985.tif 000004
【図４】
0003860985.tif 000005
【図５】
0003860985.tif 000006
【図６】
0003860985.tif 000007
【図７】
0003860985.tif 000008
【図８】
0003860985.tif 000009
【図９】
0003860985.tif 000010